(57)【要約】【課題】火薬を使用することなく、単に内部に充填している媒体を瞬間的に加圧して、胴体内部の空間を膨張させ、この膨張力によって、破裂部材が破裂しながら発生させる破裂音と、祝砲内容物を外部に排出させる現象とを最大限活用し、祝砲機能を発揮させることによって、遊び用、応援用、広報用、その他行事用等で、安全に活用できる祝砲風船に関するものである。【解決手段】本発明の祝砲風船は、注入口と、注入口を介して内部に媒体を注入可能な胴体とを備え、前記胴体の先端部には、祝砲機能部が形成され、前記胴体における前記祝砲機能部と対向する位置に取っ手部が配置されているとともに、前記祝砲機能部が、前記胴体の一側を内側に折り入れて構成される祝砲空間と、前記祝砲空間の内側に内蔵される祝砲内容物とを備え、前記祝砲空間の入口部が、別個の破裂部材により仕上げ処理されていることを特徴とするものである。【選択図】図１
2005218803.tif 000002
【特許請求の範囲】
【請求項１】
注入口と、注入口を介して内部に媒体を注入可能な胴体とを備え、
前記胴体の先端部には、祝砲機能部が形成され、前記胴体における前記祝砲機能部と対向する位置に取っ手部が配置されているとともに、
前記祝砲機能部が、前記胴体の一側を内側に折り入れて構成される祝砲空間と、前記祝砲空間の内側に内蔵される祝砲内容物とを備え、前記祝砲空間の入口部が、別個の破裂部材により仕上げ処理されていることを特徴とする祝砲風船。
【請求項２】
祝砲内容物が、胴体と分離された独立的な物品形態であることを特徴とする請求項１に記載の祝砲風船。
【請求項３】
祝砲空間が占める部位とこれを除外した胴体の外部一側のうち、少なくとも一方に視線集中媒体を備えていることを特徴とする請求項１または２に記載の祝砲風船。
【請求項４】
破裂部材が、外部圧力によって容易に破裂可能な素材から構成され、祝砲空間の入口部に貼り付けられていることを特徴とする請求項１から請求項３のいずれかに記載の祝砲風船。
【請求項５】
破裂部材が、その中央部に、外部圧力によって容易に破裂可能な脆弱部を備え、前記脆弱部が祝砲空間の入口部の開口部分に対向するように、前記入口部に貼り付けられていることを特徴とする請求項１から請求項３のいずれかに記載の祝砲風船。
【請求項６】
破裂部材の片面に、祝砲空間の入口部の開口部分に対向する位置を回避して、予め両面テープが貼り付けられていることを特徴とする請求項４または５に記載の祝砲風船。
【請求項７】
胴体の一側に突出部を備え、他側に紐で連結されたリング状部材を備えていることを特徴とする請求項１から請求項６のいずれかに記載の祝砲風船。
【発明の詳細な説明】
【技術分野】
【０００１】
本発明は、祝砲機能を備えた風船に関するものである。
【背景技術】
【０００２】
従来においては、先行技術として、透明な外側風船の内側に別個の風船を内蔵させた風船型玩具がある（例えば特許文献１参照）が、これは、興味を誘発させる程度にすぎない。
また、従来の祝砲や爆竹は、内部に火薬を装着させた状態で、必要な場合に、これを点火させ、火薬が爆発しながら得られる推進力を用いて、空中へ打ち上げる方式を採択している。しかし、これらは、根本的に安全性の確保に難しさがあり、不注意によって人がケガをする事故の原因にもなり、火災の危険が常に隠れている。このため、使用を避けている状況なので、特別な行事用として専門的な安全要員が配置された状態で活用できる程度である。
【特許文献１】米国特許第５１０８３３９号
【発明の開示】
【発明が解決しようとする課題】
【０００３】
本発明は、このような従来の問題点を解消するために、研究開発を重ねて完成されたものであって、本発明の主な目的は、火薬を使用することなく、単に内部に充填している媒体を瞬間的に加圧して、胴体内部の空間を膨張させ、この膨張力によって、破裂部材が破裂しながら発生させる破裂音と、祝砲内容物を外部に排出させる現象とを最大限活用し、祝砲機能を発揮させることによって、遊び用、応援用、広報用、その他行事用等で、祝砲風船を安全に活用できるようにすることにある。
【０００４】
本発明の他の目的は、普段は、祝砲内容物と一緒に内蔵された状態を維持するが、祝砲機能を発揮した後には、外部に露出した状態を維持させるか、あるいは、祝砲内容物とは別個に外側に視線集中媒体を設け、必要な場合に、特異な形態またはキャラクター商品形態を有する多様な胴体形態で構成し、祝砲機能を発揮した後であっても、遊び用、応援用、広報用、その他行事用等で、祝砲風船をより多様に活用できるようにすることにある。
【０００５】
本発明の他の目的は、取っ手部と祝砲機能部とが対向するように構成し、祝砲機能を発揮させる時、取っ手部の加圧を容易とし、祝砲方向が所望の方向に便利に指向性を有するようにすることにある。
【課題を解決するための手段】
【０００６】
以上の目的を達成するために、請求項１記載の発明の祝砲風船は、注入口と、注入口を介して内部に媒体を注入可能な胴体とを備え、
前記胴体の先端部には、祝砲機能部が形成され、前記胴体における前記祝砲機能部と対向する位置に取っ手部が配置されているとともに、
前記祝砲機能部が、前記胴体の一側を内側に折り入れて構成される祝砲空間と、前記祝砲空間の内側に内蔵される祝砲内容物とを備え、前記祝砲空間の入口部が、別個の破裂部材により仕上げ処理されていることを特徴とするものである。
【０００７】
請求項２記載の発明の祝砲風船は、祝砲内容物が、胴体と分離された独立的な物品形態であることを特徴とするものである。祝砲内容物としては、例えば、巻かれたリボン、色紙の切れ端などである。
【０００８】
請求項３記載の発明の祝砲風船は、祝砲空間が占める部位とこれを除外した胴体の外部一側のうち、少なくとも一方に視線集中媒体を備えていることを特徴とするものである。視線集中媒体としては、例えば、雄蕊のような形態を含むものなどである。
【０００９】
請求項４記載の発明の祝砲風船は、破裂部材が、外部圧力によって容易に破裂可能な素材から構成され、祝砲空間の入口部に貼り付けられていることを特徴とするものである。
【００１０】
請求項５記載の発明の祝砲風船は、破裂部材が、その中央部に、外部圧力によって容易に破裂可能な脆弱部を備え、前記脆弱部が祝砲空間の入口部の開口部分に対向するように、前記入口部に貼り付けられていることを特徴とするものである。
【００１１】
請求項６記載の発明の祝砲風船は、破裂部材の片面に、祝砲空間の入口部の開口部分に対向する位置を回避して、予め両面テープが貼り付けられていることを特徴とするものである。
【００１２】
請求項７記載の発明の祝砲風船は、前記胴体の一側に突出部を備え、他側に紐で連結されたリング状部材を備えていることを特徴とするものである。
【発明の効果】
【００１３】
以上説明したように、本発明の祝砲風船によれば、火薬を使用せず、取っ手部を握った状態で、単に胴体内部に充填している媒体を瞬間的に加圧することで、胴体内部の空間を膨張させ、このような膨張力によって、破裂部材が破裂しながら発生させる破裂音と、祝砲内容物を外部に排出させる現象とを最大限活用し、祝砲機能を発揮させることにより、遊び用、応援用、広報用、その他行事用などで、安全に活用できるという効果がある。
また、本発明によれば、取っ手部と祝砲機能部とが対向するように構成したので、祝砲機能を発揮させる時、取っ手部の加圧が容易となり、祝砲方向が所望の方向に便利に指向性を有するという効果がある。
さらに、本発明の祝砲風船によれば、祝砲空間が占める部位とこれを除外した胴体の外部一側のうち、少なくともいずれか一方に視線集中媒体を備えている。したがって、視線集中媒体が、祝砲空間が占める部位に設けられている場合には、普段は、祝砲内容物と一緒に内蔵された状態を維持するが、祝砲機能を発揮した後には、外部に露出した状態を維持することができる。また、視線集中媒体が、祝砲空間が占める部位を除外した胴体の外部一側に設けられている場合には、祝砲機能の活用前や活用後に関係なく、遊び用、応援用、広報用、その他行事用等で、より多様に活用できるようにする。なお、胴体は、必要に応じて、特異な形態またはキャラクター商品形態を有する多様な形態で構成すればよい。
【発明を実施するための最良の形態】
【００１４】
本発明に係る一実施形態の祝砲風船１は、基本的には、図１に示すように、バルブ形態の注入口２と、この注入口２を介して内部に媒体を注入可能な胴体３と、前記胴体３の一側に形成される祝砲機能部５と、この祝砲機能部５に対向する位置に配置される取っ手部６と、前記祝砲機能部５の先端部分に設けられる破裂部材７と、胴体３の外側面に取り付けられた視線集中媒体９とを備えて構成されている。
【００１５】
祝砲機能部５は、図３に示すように、祝砲空間部５０と、祝砲空間部５０内に内蔵された祝砲内容物５２とを備えてなる。祝砲空間部５０は、前記胴体３の一側を内側に折り入れ、その遊端部を封止することにより、一側に入口部５４を備えた袋状に形成されている。  祝砲内容物５２は、胴体３と分離された独立の物品形態であり、例えば、巻かれたリボン、色紙の切れ端などである。
【００１６】
前記破裂部材７は、例えば、紙のように素材自体が外部圧力により比較的容易に破裂される破裂素材を用いてなるもので、図３に示すように、祝砲内容物５２を内蔵させた状態で、祝砲空間部５０の入口部５４を封止するように貼付けられている。
【００１７】
視線集中媒体９は、複数の細長いテープ状素材で構成され、一端部が胴体３の外側面に貼着されている。より詳しくは、図３に示すように、破裂部材７の基端部を折り返した部分に挟み込まれた状態で設けられている。また、視線集中媒体９は、遊端部が祝砲機能部５の入口部５４を取り囲むように配置され、雄蕊のような形態で設けられている。
【００１８】
なお、注入口２には、通常のシート型一方向チェックバルブを用いるか、あるいは、その他の適切な形態のバルブを使用することが好ましい。
【００１９】
また、胴体３の注入に使われる媒体は、従来の風船のように空気やその他の適切な媒体を用いればよい。
【００２０】
次に、本実施形態の祝砲風船１の使用方法について説明する。
まず、注入口２を介して、祝砲風船１の胴体３の内部に充填媒体として空気などを吹き込む。すると、胴体３が膨張した状態を維持するようになり、胴体３全体はあたかも空気棒のように、あるいは、その他の多様な形態で本来の模様を取り戻すようになる。このように膨張した状態の祝砲風船１は、胴体３の表面に表現された各種キャラクター形状や視線集中媒体９が、視覚的効果を発揮するので、祝砲風船１の取っ手部６を手で握り振ることにより、祝砲機能の使用前後に関わらず、応援用その他行事用に活用できるようになる。
【００２１】
祝砲が必要な時には、図２に示すように、祝砲機能部５が位置する先端部を所望の方向に向け、取っ手部６を握っていた手で瞬間的に加圧する。すると、手の加圧力によって取っ手部６の体積が縮小する分だけ、内部媒体が祝砲空間部５０に加圧力を作用させる。このような加圧力による瞬間的な内部空間の変位によって、図６に示すように、破裂部材７が破裂しながら破裂音を発生させると共に、祝砲空間部５０の内部に位置していた祝砲内容物５２が外部へ発射され、祝砲作動がなされる。
【００２２】
このように祝砲作動がなされた後には、必要に応じて、注入口２を介して前記祝砲空間５０の分だけ内部空間が拡張された胴体３の内部に、追加的に媒体を更に充填させれば、胴体３全体をより膨張させた状態で、胴体の表面に表現された各種キャラクター形状や、別途の視線集中媒体９を活用し、行事用やその他応援用等で継続的に活用することが可能となる。
【００２３】
なお、当然のことながら、前記胴体３の形態は、前述した形態に限定されるものではなく、特異な形態またはキャラクター商品形態を有する多様な胴体形態に構成してもよい。このようにすれば、遊び用、応援用、広報用、その他行事用等で、より多様に活用することができる。
【００２４】
また、前記破裂部材７は、例えば、合成樹脂テープのように、容易に破裂しにくい貼付用テープを用いることもできる。その場合は、図５に示すように、前記テープの中央部に、外部圧力によって容易に破裂可能な、例えばミシン目のような脆弱部７０を予め形成しておき、脆弱部７０を入口部５４に対向配置させた状態で入口部５４を封止するように貼り付ければよい。
【００２５】
また、前記破裂部材７は、図４に示すように、片面に両面テープ７２、７２を予め貼付けた後に、祝砲空間部５０の入口部５４に貼付けてもよい。このようにすれば、破裂部材７を入口部５４に貼り付ける作業がより便利に行われるようになる。
【００２６】
また、本実施形態では、祝砲空間部５０の内部に祝砲内容物５２を内蔵するとともに、胴体３の外側面に視線集中媒体９を取り付けたものであるが、これに限定されるものではなく、祝砲内容物５２と視線集中媒体９とのいずれか一方を設けたものであってもよい。さらに、視線集中媒体９は、上記の取り付け形態に限定されることなく、胴体３の他の部分に異なる形態で取り付けてもよいし、祝砲空間部５０の内部に設けてもよい。
【００２７】
次に、本発明に係る他の実施形態について説明する。本実施形態の祝砲風船１ｂは、図７及び図８に示すように、胴体３の一部に、突出部３０と、紐３１で連結されたリング状部材３２とを備えている。突出部３０は、祝砲機能部５が設けられている側を回避して、胴体３の一側に設けられている。リング状部材３２は、突出部３０および祝砲機能発揮後に胴体３の先端部に位置される祝砲機能部５のいずれにも挿通可能な形に形成されている。もちろん、紐３１は、リング状部材３２を突出部３０および祝砲機能部５に挿通可能な長さを有している。なお、これ以外の構成は、上述した祝砲風船１と同様であるので、同一の符号をもって表し、詳細な説明は省略する。
【００２８】
本実施形態の祝砲風船１ｂによれば、次のような作用効果が得られる。すなわち、祝砲機能部５により祝砲として使用した後、注入口２から胴体３の内部に充填媒体を補充し、胴体３全体を膨張させ、次いで、取っ手部６を持って、リング状部材３２を胴体３の先端部に位置される祝砲機能部５および前記突出部３０に挿通させることにより、リングゲーム機として利用でき、上述の用途に加えて娯楽用玩具としても大いに利用できる。
【図面の簡単な説明】
【００２９】
【図１】本発明に係る一実施形態を示した外観図である。
【図２】図１において、胴体の内部に媒体を注入し、膨張された状態を示す斜視図である。
【図３】図２の一部拡大縦端面図である。
【図４】本発明に使用される破裂部材を分離して示した背面図である。
【図５】本発明に使用される破裂部材の他の一例を説明する一部切欠斜視図である。
【図６】胴体を瞬間的に加圧し、祝砲として使用した後の状態を例示したもので、一部構成を変形した外観を示す作動状態図である。
【図７】本発明に係る他の実施形態の作動状態を示す外観図である。
【図８】図７に示す実施形態の祝砲風船１ｂを遊び機構として活用することを示した説明図である。
【図９】本発明に係る他の実施形態の作動状態を示す外観図である。
【図１０】本発明に係る他の実施形態の作動状態を示す外観図である。
【符号の説明】
【００３０】
１    祝砲風船
１ｂ  祝砲風船
２    注入口
３    胴体
３０  突出部
３１  紐部
３２  リング状部材
５    祝砲機能部
５０  祝砲空間
５２  祝砲内容物
５４  入口部
６    取っ手部
７    破裂部材
７２  両面テープ
９    視線集中媒体
【図１】
2005218803.tif 000003
【図２】
2005218803.tif 000004
【図３】
2005218803.tif 000005
【図４】
2005218803.tif 000006
【図５】
2005218803.tif 000007
【図６】
2005218803.tif 000008
【図７】
2005218803.tif 000009
【図８】
2005218803.tif 000010
【図９】
2005218803.tif 000011
【図１０】
2005218803.tif 000012